(57)【要約】【課題】多用途にすることにより失禁製品の購入時の抵抗感を軽減するとともに、使用態様に関係なく１つの男性用吸収性物品で多用途に使用できるようにする。【解決手段】透液性表面シート３と不透液性裏面シート２との間に吸収体４が介在されて成る２つの吸収要素１０、１１が備えられる。前記吸収要素１０、１１はそれぞれ、透液性表面シート３、３同士が対面して配置されるとともに、外周に沿う一部に吸収要素１０、１１同士を接合する接合部１２が設けられている。また、少なくとも一方の吸収要素１０に、接合部１２の内側に沿って易引裂部１３が設けられている。接合部１２を基端として一方の吸収要素１０を折り返して使用する使用態様と、易引裂部１３から引き裂いて２つの吸収要素１０、１１を分離して使用する使用態様とを選択可能とする。【選択図】図５
2018166882.tif 000002
【特許請求の範囲】
【請求項１】
透液性表面シートと不透液性裏面シートとの間に吸収体が介在されて成る２つの吸収要素が備えられ、
前記吸収要素はそれぞれ、前記透液性表面シート同士が対面して配置されるとともに、外周に沿う一部に該吸収要素同士を接合する接合部が設けられ、かつ少なくとも一方の前記吸収要素に、前記接合部の内側に沿って易引裂部が設けられ、
前記接合部を基端として一方の前記吸収要素を折り返して使用する使用態様と、前記易引裂部から引き裂いて２つの吸収要素を分離して使用する使用態様とが選択可能であることを特徴とする男性用吸収性物品。
【請求項２】
前記吸収要素はそれぞれ、前記吸収体の周囲に前記吸収体の存在しないフラップ部が設けられ、前記フラップ部に前記接合部が設けられるとともに、前記吸収体と前記接合部との間の前記フラップ部に前記易引裂部が設けられている請求項１記載の男性用吸収性物品。
【請求項３】
前記一方の吸収要素を折り返して使用する使用態様において、この折り返し部で前記２つの吸収要素の前記吸収体同士が重なり代を有するように、前記折り返し部の折り返し線が延びる方向に対して、前記接合部の両端縁が前記吸収体と重なる位置まで延在している請求項１、２いずれかに記載の男性用吸収性物品。
【請求項４】
前記吸収要素はそれぞれ、前記一方の吸収要素を折り返す際の折り返し方向の両側部にそれぞれ、前記折り返し方向に沿って弾性伸縮部材が配置されている請求項１〜３いずれかに記載の男性用吸収性物品。
【請求項５】
前記吸収要素はそれぞれ、前記不透液性裏面シートの外面側であって、前記一方の吸収要素を折り返す際の折り返し方向の両端部にそれぞれ、前記折り返し方向と直交する方向に沿う粘着剤層が設けられている請求項１〜４いずれかに記載の男性用吸収性物品。
【請求項６】
前記吸収要素はそれぞれ、前記透液性表面シート側の面であって、前記一方の吸収要素を折り返す際の折り返し方向の両端部にそれぞれ、前記折り返し方向と直交する方向に沿って、前記不透液性裏面シート側に窪むエンボス溝が設けられている請求項１〜５いずれかに記載の男性用吸収性物品。
【発明の詳細な説明】
【技術分野】
【０００１】
本発明は、軽失禁ライナーや失禁パッドなどの尿取りパッドとしての使用態様と、脇部の汗取りパッドとしての使用態様とを選択可能とした男性用の吸収性物品に関する。
【背景技術】
【０００２】
従来より、残尿などの軽い尿漏れ（５〜１５ｃｃ程度）を吸収する男性用の軽失禁ライナーや失禁パッドなどの尿取りパッドが開発されている（例えば、下記特許文献１）。
【０００３】
一方で、衣服の汗染み防止などのため、衣服の脇部に貼着する脇部の汗取りパッドが知られている（例えば、下記特許文献２）。
【０００４】
現在、日本人の５０歳以上の男性の軽失禁罹患率は、３人に１人の割合といわれているが、軽失禁罹患者のうち、実際に軽失禁製品を使用している割合は、２％程度である。このように軽失禁製品の使用率が低い原因として、男性用の軽失禁製品を購入することに対する抵抗感があると言われている。
【先行技術文献】
【特許文献】
【０００５】
【特許文献１】特開２０１０−２７３７７５号公報
【特許文献２】特開２００７−６３７１７号公報
【発明の概要】
【発明が解決しようとする課題】
【０００６】
本発明は、これらの事情に鑑みて成されたものであり、男性用の軽失禁製品を購入する際の抵抗感を軽減するため、尿取りパッドとしての用途に限定した専用品ではなく、例えば脇部の汗取りパッドなどとしても使用可能なマルチな用途を有するようにすることにより、軽失禁製品の購入のハードルを低下せしめたものである。
【０００７】
上記特許文献１、２記載のものは、軽失禁パッドや汗取りシートとして開発されたものであり、軽失禁パッドを脇部の汗取りパッドとして使用した場合には、サイズが大きすぎて、脇部にフィットしにくいなどの問題があった。
【０００８】
また、尿取りパッドとしての使用態様では、１つのパッドであるのが望ましいのに対して、汗取りパッドとしての使用態様では、両脇にそれぞれ配置する関係上、２つのパッドが必要になるため、尿取りパッドと汗取りパッドとを兼用させるには、使用態様によって使用数量が異なることが問題となっていた。
【０００９】
そこで本発明の主たる課題は、多用途にすることにより失禁製品の購入時の抵抗感を軽減するとともに、使用態様に関係なく１つの男性用吸収性物品で多用途に使用できるようにした男性用吸収性物品を提供することにある。
【課題を解決するための手段】
【００１０】
上記課題を解決するために請求項１に係る本発明として、透液性表面シートと不透液性裏面シートとの間に吸収体が介在されて成る２つの吸収要素が備えられ、
前記吸収要素はそれぞれ、前記透液性表面シート同士が対面して配置されるとともに、外周に沿う一部に該吸収要素同士を接合する接合部が設けられ、かつ少なくとも一方の前記吸収要素に、前記接合部の内側に沿って易引裂部が設けられ、
前記接合部を基端として一方の前記吸収要素を折り返して使用する使用態様と、前記易引裂部から引き裂いて２つの吸収要素を分離して使用する使用態様とが選択可能であることを特徴とする男性用吸収性物品が提供される。
【００１１】
上記請求項１記載の発明では、透液性表面シートと不透液性裏面シートとの間に吸収体が介在されて成る２つの吸収要素が備えられている。これらの吸収要素はそれぞれ、前記透液性表面シート同士が対面して配置されるとともに、外周に沿う一部に該吸収要素同士を接合する接合部が設けられている。そして、少なくとも一方の前記吸収要素に、前記接合部の内側に沿って易引裂部が設けられている。このように構成された男性用吸収性物品を使用するに際しては、前記接合部を基端として一方の前記吸収要素を折り返して使用する使用態様と、前記易引裂部から引き裂いて２つの吸収要素を分離して使用する使用態様とが選択可能となっている。前記一方の吸収要素を折り返して使用する使用態様では、一方の吸収要素を折り返すことにより露出した前記透液性表面シートの面を男性器に宛がって使用する尿取りパッドとして使用でき、２つの吸収要素を分離して使用する使用態様では、分離した各吸収要素をそれぞれの脇部に配置して脇汗を吸収する汗取りパッドとして使用できる。
【００１２】
このように、本男性用吸収性物品は、１つの吸収性物品で、尿取りパッド又は汗取りパッドとして使用できる多用途であるため、尿取りパッドの専用品であるものと比較して、購入時の抵抗感が軽減できるようになる。また、２つの吸収要素が一体化された尿取りパッドとしての使用態様と、２つの吸収要素を分離した汗取りパッドとしての使用態様とで、１つ当たりの男性用吸収性物品のサイズが異なるため、それぞれの使用態様に応じて男性用吸収性物品が身体にフィットして、尿漏れや装着時の違和感が生じなくなる。更に、使用前は、２つの吸収要素が前記接合部で接合されて一体化されており、使用態様に応じて、一体化された状態や、分離した状態にできるため、使用態様を考慮して持ち運ぶ数量を調整するなどの手間をなくすことができ、男性用吸収性物品の携帯性にも優れるようになる。
【００１３】
請求項２に係る本発明として、前記吸収要素はそれぞれ、前記吸収体の周囲に前記吸収体の存在しないフラップ部が設けられ、前記フラップ部に前記接合部が設けられるとともに、前記吸収体と前記接合部との間の前記フラップ部に前記易引裂部が設けられている請求項１記載の男性用吸収性物品が提供される。
【００１４】
上記請求項２記載の発明では、前記接合部及び易引裂部を前記フラップ部に設けているため、前記易引裂部から引き裂いて２つの吸収要素を分離して使用する使用態様において、引き裂いた端縁から吸収体が露出せず、吸収体に吸収された体液の漏れが確実に防止できる。
【００１５】
請求項３に係る本発明として、前記一方の吸収要素を折り返して使用する使用態様において、この折り返し部で前記２つの吸収要素の前記吸収体同士が重なり代を有するように、前記折り返し部の折り返し線が延びる方向に対して、前記接合部の両端縁が前記吸収体と重なる位置まで延在している請求項１、２いずれかに記載の男性用吸収性物品が提供される。
【００１６】
上記請求項３記載の発明では、前記一方の吸収要素を折り返して使用する使用態様において、この折り返し部で前記２つの吸収要素の吸収体同士が重なり代を有するように、接合部の両端縁を所定の位置まで延在して形成している。これによって、前記一方の吸収要素を折り返して使用する使用態様において、２つの吸収要素の各吸収体の間に隙間が形成されることなく、体液を確実に吸収できるようになる。
【００１７】
請求項４に係る本発明として、前記吸収要素はそれぞれ、前記一方の吸収要素を折り返す際の折り返し方向の両側部にそれぞれ、前記折り返し方向に沿って弾性伸縮部材が配置されている請求項１〜３いずれかに記載の男性用吸収性物品が提供される。
【００１８】
上記請求項４記載の発明では、各吸収要素の両側部にそれぞれ、弾性伸縮部材を配置することにより、前記一方の吸収要素を折り返して使用する尿取りパッドとしての使用態様においては、前記弾性伸縮部材の収縮力によって各吸収要素の中央部が不透液性裏面シート側に突出するカップ状に変形し、股間部へのフィット性が向上できる。また、前記２つの吸収要素を分離して使用する汗取りパッドとしての使用態様においては、弾性伸縮部材の伸縮によって脇部へのフィット性が向上できる。
【００１９】
請求項５に係る本発明として、前記吸収要素はそれぞれ、前記不透液性裏面シートの外面側であって、前記一方の吸収要素を折り返す際の折り返し方向の両端部にそれぞれ、前記折り返し方向と直交する方向に沿う粘着剤層が設けられている請求項１〜４いずれかに記載の男性用吸収性物品が提供される。
【００２０】
上記請求項５記載の発明では、各吸収要素の不透液性裏面シートの外面側の上下端部にそれぞれ、粘着剤層が設けられているため、この粘着剤層を衣服に貼着することによって、前記一方の吸収要素を折り返して使用する尿取りパッドとしての使用態様においても、前記２つの吸収要素を分離して使用する汗取りパッドとしての使用態様においても男性用吸収性物品のズレが確実に防止できるようになる。
【００２１】
請求項６に係る本発明として、前記吸収要素はそれぞれ、前記透液性表面シート側の面であって、前記一方の吸収要素を折り返す際の折り返し方向の両端部にそれぞれ、前記折り返し方向と直交する方向に沿って、前記不透液性裏面シート側に窪むエンボス溝が設けられている請求項１〜５いずれかに記載の男性用吸収性物品が提供される。
【００２２】
上記請求項６記載の発明では、各吸収要素の透液性表面シート側の面の上下端部にそれぞれ、エンボス溝が設けられているため、特に、前記一方の吸収要素を折り返して使用する尿取りパッドとしての使用態様において、尿が前記エンボス溝で塞き止められ、各吸収要素の上下端部から漏れるのが防止できるようになる。
【発明の効果】
【００２３】
以上詳説のとおり本発明によれば、多用途にすることにより失禁製品の購入時の抵抗感が軽減できるとともに、使用態様に関係なく１つの男性用吸収性物品で多用途に使用できるようになる。
【図面の簡単な説明】
【００２４】
【図１】本発明に係る男性用吸収性物品１の一部破断展開図である。
【図２】図１のII−II線矢視図である。
【図３】被包シート５で吸収体４を覆う形態例を示す断面図である。
【図４】(A)は吸収要素１０、(B)は吸収要素１１を示す、一部破断展開図である。
【図５】尿取りパッドとしての使用状態を示す展開図である。
【図６】図５のVI−VI線矢視図である。
【図７】汗取りパッドとしての使用状態を示す展開図である。
【図８】変形例に係る吸収要素１０の平面図である。
【図９】(A)は吸収要素１０、(B)は吸収要素１１を示す、不透液性裏面シート２側の平面図である。
【図１０】尿取りパッドとしての使用状態を示す、不透液性裏面シート２側の平面図である。
【図１１】変形例に係る(A)は吸収要素１０、(B)は吸収要素１１を示す、不透液性裏面シート２側の平面図である。
【図１２】尿取りパッドとしての使用状態を示す、透液性表面シート３側の平面図である。
【図１３】尿取りパッドとしての使用状態を示す、透液性表面シート３側の平面図である。
【発明を実施するための形態】
【００２５】
以下、本発明の実施の形態について図面を参照しながら詳述する。
【００２６】
本発明に係る男性用吸収性物品１は、図１及び図２に示されるように、２つの吸収要素１０、１１を備えている。前記吸収要素１０、１１はそれぞれ、ポリエチレンシート、ポリプロピレンシートなどからなる不透液性裏面シート２と、尿や汗などの体液を速やかに透過させる透液性表面シート３と、これら両シート２，３間に介在された綿状パルプまたは合成パルプなどからなる吸収体４と、この吸収体４の形状保持および拡散性向上のために前記吸収体４の少なくとも肌側面及び非肌側面を覆うクレープ紙又は不織布などからなる被包シート５とから構成されている。また、前記吸収体４の周囲において、前記不透液性裏面シート２と透液性表面シート３との外縁部がホットメルトなどの接着剤やヒートシール、超音波シール等の接合手段によって接合され、外周に吸収体４の存在しないフラップ部Ｆが形成されている。
【００２７】
以下、さらに前記男性用吸収性物品１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２８】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００２９】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および体液を速やかに拡散させるとともに、一旦吸収した体液の逆戻りを防止するために被包シート５によって覆われるのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００３０】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３１】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の５〜６０％とするのが望ましい。高吸水性樹脂含有率が５％未満の場合には、十分な吸収能を与えることができず、６０％を超える場合にはパルプ繊維間の絡み合いが無くなり、シート強度が低下し破れや割れ等が発生し易くなる。
【００３２】
前記吸収体４の少なくとも肌側面及び非肌側面は、クレープ紙又は不織布などからなる被包シート５で覆われている。前記被包シート５で吸収体４を覆う方法としては、公知の方法を採用できるが、(1)図３(A)に示されるように、裁断前の連続した吸収体の両面にそれぞれ裁断前の連続した被包シートを積層し、これらの積層体を一体的に所定形状にくり抜く形態、(2)同図３(B)に示されるように、所定の平面形状に積繊した吸収体４の両面にそれぞれ吸収体４より大きな平面形状を有する被包シート５を積層するとともに、吸収体４の外側に延在した部分で被包シート５、５同士を接合し、その周囲を所定形状にくり抜く形態、(3)同図３(C)に示されるように、１枚の被包シート５で吸収体４の側縁を巻き込んで額巻き状に囲繞する形態のいずれかとすることができる。前記吸収体４の平面形状が円形状や逆三角形状などの場合には、上記(1)又は(2)の形態が採用でき、前記吸収体４の平面形状が四角形状などの場合には、上記(3)の形態を採用することもできる。
【００３３】
本例のように、吸収体４を覆う被包シート５を設ける場合には、結果的に透液性表面シート３と吸収体４との間に被包シート５が介在することになる。前記被包シート５がクレープ紙からなる場合には、吸収性に優れる前記被包シート５によって尿を速やかに拡散させるとともに、これら尿の逆戻りを防止するようになる。
【００３４】
前記吸収体４及び被包シート５のいずれか一方又は両方は、白色以外の色、好ましくは黒色や灰色など、比較的暗い、明度が小さな色を有しているのが好ましい。本発明は男性用吸収性物品に関するものなので、比較的暗い色を用いることにより男性用として落ち着いた印象を与えるとともに、暗い色の下着に装着したときに目立ちにくくなり、かつ排尿の跡も目立ちにくくなる。着色方法は特に限定されず、適宜の染色方法、或いは着色原料を用いることができる。また、吸収体４及び被包シート５のいずれか一方又は両方に活性炭を含有することにより、着色を施してもよい。これにより、活性炭による消臭効果も付加できるようになる。
【００３５】
前記２つの吸収要素１０、１１は、各部材の素材繊維などが異なるものを使用してもよいが、各部材が同一の構成を有するものを使用するのが望ましい。
【００３６】
以上の構成からなる吸収要素１０、１１はそれぞれ、図１、図２及び図４に示されるように、透液性表面シート３、３同士が対面して配置されるとともに、外周に沿う一部に該吸収要素１０、１１同士を接合する接合部１２が設けられている。また、少なくとも一方の吸収要素１０に、前記接合部１２の内側に沿って易引裂部１３が設けられている。
【００３７】
このように構成された男性用吸収性物品１を使用するに際しては、図５及び図６に示されるように、前記接合部１２を基端として、一方の吸収要素１０を上側に折り返して使用する軽失禁ライナーや失禁パッドなどの尿取りパッドとしての使用態様と、図７に示されるように、前記易引裂部１３から引き裂いて２つの吸収要素１０、１１を分離して使用する脇部の汗取りパッドとしての使用態様とが選択可能となっている。
【００３８】
このように、本男性用吸収性物品１は、１つの吸収性物品で、尿取りパッド又は汗取りパッドとして使用できる多用途品であるため、尿取りパッドを購入するという意識が薄れ、尿取りパッドの専用品と比較して、購入時の抵抗感が軽減できるようになる。
【００３９】
また、本男性用吸収性物品１は、尿取りパッドとしての使用態様と、汗取りパッドとしての使用態様とで、一体化された２つの吸収要素１０、１１を拡げて用いるか、分離して用いるかによって、使用時のサイズが異なるため、それぞれの使用態様に応じて身体にフィットして、尿漏れや装着時の違和感が生じなくなる。
【００４０】
更に、本男性用吸収性物品１は、使用前では、前記２つの吸収要素１０、１１が前記接合部１２で接合されて一体化されており、使用態様に応じて、一体化された状態や、分離した状態にできるため、使用態様を考慮して持ち運ぶ数量を調整するなどの手間を省くことができ、使用前の一体化された男性用吸収性物品１を１つ持ち運べばいずれの使用態様にも対応できるので、男性用吸収性物品の携帯性にも優れるようになる。
【００４１】
前記尿取りパッドとして使用するに当たって、男性用吸収性物品１を装着する向きは、図１に示されるように、２つの吸収要素１０、１１が積層された男性用吸収性物品１の接合部１２を上側に向けて配置した状態で、図５に示されるように、上層側の吸収要素１０を、前記接合部１２を基端として上側に折り返すことにより、表面に露出した各吸収要素１０、１１の透液性表面シート３、３を肌側に向けて配置するとともに、前記吸収要素１０の折り返しによる吸収体４の重なり部分が折り返し部より上側に形成されるようにした上下方向の向きで配置するのが好ましい。このように、前記吸収要素１０の折り返しによる吸収体４の重なり部分が折り返し部より上側に形成された向きで配置することにより、吸収体４の重なり部分が股間部に位置して装着感が悪化するのが防止できる。一方、これとは逆に、前記吸収要素１０の折り返しによる吸収体４の重なり部分が折り返し部より下側に形成される向きで配置することにより、折り返し部分の吸収要素１０、１１間に上側が開口したポケットが形成されるような配置にしてもよい。これにより、体液が前記ポケットに流入して吸収されることにより、下側からの漏れがより確実に防止できるようになる。
【００４２】
また、脇部の汗取りパッドとして使用するに当たって、前記易引裂部１３から引き裂いて分離した各吸収要素１０、１１を装着する向きは、透液性表面シート３を肌側に向けて配置するとともに、前記接合部１２が設けられた上下方向の端部側を袖側又は胴体側に向けて配置する。これにより、後段で詳述するように、両側部に設けられた弾性伸縮部材１４の伸縮力により、各吸収要素１０、１１が脇部の肌面にフィットしやすくなる。
【００４３】
前記接合部１２としては、ヒートシールや超音波シール、ホットメルト接着剤等の接合手段によって構成することができる。
【００４４】
前記接合部１２は、吸収体４が介在しない前記フラップ部Ｆに設けるのが好ましい。図４に示されるように、吸収体４の上側端縁から法線方向外側への離隔幅Ａは５ｍｍ以上、好ましくは５〜１０ｍｍの位置に設けるのがよい。これにより、図７に示されるように、２つの吸収要素１０、１１を分離して使用する使用態様において、フラップ部Ｆより吸収体４が存在する部分の厚みが相対的に厚いため、接合部１２が肌面と接触しにくくなり、接合部１２が肌に当たって装着感が低下するのが防止できる。
【００４５】
前記接合部１２の幅Ｂとしては、接合部１２における接合強度を確保するため、３〜１０ｍｍ、好ましくは５〜８ｍｍとするのがよい。図示例では、前記接合部１２の外縁は、吸収要素１０、１１の外縁とほぼ一致しているが、吸収要素１０、１１の外縁より内側に位置するようにしてもよい。
【００４６】
前記接合部１２は、図４に示されるように、各吸収要素１０、１１の上下方向の一方側端縁（上側端縁）に沿って形成されている。より具体的には、各吸収要素１０、１１の上下方向の上側端縁に沿ってこの上側端縁の全長に亘って形成されるとともに、両端部が各吸収要素１０、１１の両側縁の上側部分に延在して形成されている。
【００４７】
前記接合部１２は、図５に示されるように、一方の吸収要素１０を折り返して使用する使用態様において、この折り返し部で２つの吸収要素１０、１１の吸収体４、４同士が厚み方向に重なり代を有するように、平面視で前記折り返し部の折り返し線が延びる方向（幅方向）に対して、該接合部１２の両端縁１２ａ、１２ａが吸収体４と重なる位置まで延在しているのが好ましい。すなわち、図４に示されるように、前記接合部１２が吸収要素１０、１１の上側端縁から幅方向の両端縁まで延在して形成されているのが好ましい。これによって、図５に示されるように、上側の吸収要素１０の吸収体４と下側の吸収要素１１の吸収体４とが上下方向に対して隙間なく連続的に設けられるようになり、尿取りパッドとして使用したときにこの部分からの尿漏れが確実に防止できるようになる。
【００４８】
前記吸収体４、４同士の重なり代の幅Ｅとしては、接合部１２が設けられる側の端縁の形状によっても異なるが、３〜３０ｍｍ、好ましくは５〜２５ｍｍとするのがよい。
【００４９】
次いで前記易引裂部１３について詳細に説明すると、前記易引裂部１３は、少なくとも一方の吸収要素１０において、前記接合部１２の内側に沿って設けられている。前記易引裂部１３は、前記接合部１２とは重ならない位置であって、前記接合部１２の内側縁から所定の離隔幅を有する位置に、前記接合部１２の内側縁とほぼ平行して設けられている。
【００５０】
前記易引裂部１３は、少なくとも一方の吸収要素１０のフラップ部Ｆにおいて前記透液性表面シート３及び不透液性裏面シート２に対して一体的に形成されている。また、前記吸収要素１０の幅方向に対しては、吸収要素１０の両端縁間を貫くように幅方向の全長に亘って設けられている。
【００５１】
前記易引裂部１３は、前記フラップ部Ｆにおいて吸収体４と接合部１２との間に設けられている。前記易引裂部１３は、吸収体４の上側端縁から法線方向外側への離隔幅Ｃが、３ｍｍ以上、好ましくは３〜４．５ｍｍ程度とするのがよい。
【００５２】
前記易引裂部１３としては、ミシン目や凹溝によって構成してもよいし、円形や楕円形等の貫通孔を所定の間隔を空けて複数設けたものによって構成してもよく、前記透液性表面シート３及び不透液性裏面シート２を一体的に引き裂き容易に形成されたものであれば特に制限なく用いることができる。
【００５３】
前記易引裂部１３を一方の吸収要素１０のみに設けることにより、前記易引裂部１３から引き裂いたとき、図７に示されるように、吸収要素１０の易引裂部１３より外側の部分は、前記接合部１２によって他方の吸収要素１１に接合された状態としてもよい。また、前記易引裂部１３を２つの吸収要素１０、１１の両方に設けることにより、前記易引裂部１３で引き裂いたとき、易引裂部１３より外側の接合部１２が、２つの吸収要素１０、１１から完全に取り外されるようにしてもよい。後者の場合には、脇部の汗取りパッドとしての使用態様において、接合部１２が身体に接触することがなく、装着感をより一層向上させることができるようになる。
【００５４】
ところで、前記２つの吸収要素１０、１１は、ほぼ一致する平面形状で形成するのが好ましい。これにより、分離して脇部の汗取りパッドとして使用する際、左右の吸収要素１０、１１がほぼ同じ形状で形成されるとともに、図１、図２に示されるように、２つの吸収要素１０、１１が積層された状態で、平面形状が一致して未使用の男性用吸収性物品１を携帯する際に便利になる。
【００５５】
図１に示される例では、各吸収要素１０、１１の平面形状は、上下方向の両端縁が外方側に膨出する円弧状に形成され、幅方向の両端縁がほぼ直線状に形成された略小判形を成している。これにより、図５に示されるように、尿取りパッドとして使用する際に、一方の吸収要素１０を折り返すことにより、縦長の小判形となり、股間部に装着しやすい形状になるとともに、図７に示されるように、脇部の汗取りパッドとして使用する際に、各吸収要素１０、１１が左右の脇部にフィットしやすい形状になる。
【００５６】
一方、図８に示されるように、前記吸収要素１０、１１は、種々の平面形状で形成することができる。例えば、(A)円形又は楕円形、(B)長方形又は正方形、(C)三角形、(D)台形などとすることができる。前記吸収要素１０、１１の平面形状は、幅方向に対称な形状で形成されている。また、図１及び図８(A)、(B)に示されるように、上下方向に対称な形状で形成するのが好ましい。図８(C)、(D)に示されるように、上下非対称な形状とした場合には、２つの吸収要素１０、１１を分離して汗取りパッドとして使用する際に、脇部へのフィット性が低下するおそれがある。
【００５７】
図４に示されるように、前記吸収要素１０、１１はそれぞれ、前記一方の吸収要素１０を折り返す際の折り返し方向（上下方向）の両側部にそれぞれ、前記折り返し方向（上下方向）に沿って１又は複数条の、図示例では１条の弾性伸縮部材１４が両端又は適宜の位置が固定された伸張状態で配置されるのが好ましい。これにより、図５及び図６に示されるように、一方の吸収要素１０を折り返して使用する尿取りパッドとしての使用態様において、前記弾性伸縮部材１４、１４の収縮力によって、各吸収要素１０、１１の中央部が不透液性裏面シート２側に突出するカップ状に変形しやすくなるため、股間部へのフィット性が向上できる。また、図７に示されるように、２つの吸収要素１０、１１を分離して使用する汗取りパッドとしての使用態様において、上下方向の両端をそれぞれ袖側、胴体側に向けて配置することにより、弾性伸縮部材１４、１４の伸縮によって脇部へのフィット性が向上できる。
【００５８】
前記弾性伸縮部材１４は、各吸収要素１０、１１の上下方向中央部に、長さ１５〜２０ｍｍの範囲に配置するのが好ましい。固定時の伸長率は、１１０〜１５０％が好ましい。なお、前記「伸長率」は自然長を１００％としたときの値を意味する。
【００５９】
前記弾性伸縮部材１４は、図示例のように、吸収体４が介在しないフラップ部Ｆにおいて、透液性表面シート３と不透液性裏面シート３との間に配置してもよいし、図示しないが、前記吸収体４が介在する部分の両側部において、前記不透液性裏面シート２と吸収体４との間に配置してもよい。また、これら両方の位置に配置する複数条としてもよい。
【００６０】
図９に示されるように、前記吸収要素１０、１１はそれぞれ、不透液性裏面シート２の外面側であって、一方の吸収要素１０を折り返す際の折り返し方向（上下方向）の両端部にそれぞれ、前記折り返し方向と直交する方向（幅方向）に沿う粘着剤層１５が設けられるとともに、これら粘着剤層１５、１５…が図示されない剥離材によって覆われるようにするのが好ましい。前記粘着剤層１５を設けることにより、この粘着剤層１５を衣服に貼着して男性用吸収性物品１のズレが防止できる。なお、前記男性用吸収性物品１を衣服に固定する際には、前記剥離材を剥離して粘着剤層１５を露出させた状態で使用する。
【００６１】
前記粘着剤層１５を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００６２】
図１０に示されるように、一方の吸収要素１０を折り返して使用する尿取りパッドとしての使用態様において、折り返される吸収要素１０の折り返し基端側に配置された粘着剤層１５を、折り返し部分の不透液性裏面シート２に貼着することにより、折り返し状態が保持できるようにしてもよい。
【００６３】
前記粘着剤層１５の平面形状は、図９に示される例では、幅方向に長い長方形状で形成されているが、特にこれに限定されるものではなく、種々の形状で形成することができる。例えば、図１１に示されるように、吸収要素１０、１１の外形線にほぼ沿う三日月形や円弧線状に形成することも可能である。三日月形や円弧線状に形成することにより、前記弾性伸縮部材１４の収縮力によってカップ状に形成された各吸収要素１０、１１がカップ状の変形状態を保持したまま衣服に貼着しやすくなる。いずれにしても、各吸収要素１０、１１の上下方向両端部において幅方向に延びる形状で形成することにより、いずれの使用態様においても、衣服との貼着面積が増大し、身体の動きに追随しやすくなるため好ましい。
【００６４】
前記粘着剤層１５の外方側端縁は、各吸収要素１０、１１の外縁から法線方向内側への距離Ｄが、１５〜２０ｍｍ程度の位置に配置するのが好ましい。これにより、各吸収要素１０、１１によって男性用吸収性物品１が確実に衣服に固定できるようになる。
【００６５】
図１２及び図１３に示されるように、前記吸収要素１０、１１はそれぞれ、前記透液性表面シート３側の面であって、前記一方の吸収要素１０を折り返す際の折り返し方向（上下方向）の両端部にそれぞれ、前記折り返し方向と直交する方向（幅方向）に沿って、前記不透液性裏面シート２側に窪むエンボス溝１６を設けるのが好ましい。前記エンボス溝１６を設けることにより、特に、一方の吸収要素１０を折り返して使用する尿取りパッドとしての使用態様において、尿がエンボス溝１６で塞き止められ、各吸収要素１０、１１の上下端部からの漏れが防止できるようになる。
【００６６】
前記エンボス溝１６は、吸収体４に透液性表面シート３を積層した状態で、透液性表面シート３の外面側からの圧搾により、透液性表面シート３及び吸収体４を一体的に窪ませた窪み部である。
【００６７】
前記エンボス溝１６の平面形状は、特に限定されない。例えば、図１２に示されるように、幅方向に沿って延びる直線で形成してもよいし、図１３に示されるように、略幅方向に沿って延びるとともに、上下方向端縁の外形線に沿って外方側に膨出する湾曲線で形成してもよい。好ましくは後者の湾曲線で形成した方が、尿の拡散を抑制しやすく、より確実に漏れが防止できるようになる。
【００６８】
前記エンボス溝１６の底部には、圧搾深さを深くした高圧搾部（図示せず）を適宜のパターンで付与することができる。
【符号の説明】
【００６９】
１…男性用吸収性物品、２…不透液性裏面シート、３…透液性表面シート、４…吸収体、５…被包シート、１０・１１…吸収要素、１２…接合部、１３…易引裂部、１４…弾性伸縮部材、１５…粘着剤層、１６…エンボス溝
【図１】
2018166882.tif 000003
【図２】
2018166882.tif 000004
【図３】
2018166882.tif 000005
【図４】
2018166882.tif 000006
【図５】
2018166882.tif 000007
【図６】
2018166882.tif 000008
【図７】
2018166882.tif 000009
【図８】
2018166882.tif 000010
【図９】
2018166882.tif 000011
【図１０】
2018166882.tif 000012
【図１１】
2018166882.tif 000013
【図１２】
2018166882.tif 000014
【図１３】
2018166882.tif 000015